(57)【要約】【課題】  回動可能な表示装置を有する撮像装置において、ヒンジユニット信号線を覆う外装部材に衝撃に対する高い信頼性を持たせ、かつ液晶表示ユニットに起因する電磁ノイズの発生にも配慮した構造を提供する。【解決手段】  本体と、表示装置と、前記表示装置を回動可能に保持するヒンジユニットと、前記表示装置が収納される収納部を有する外装部材と、前記表示装置の信号を伝達する信号線と、前記信号線を保護する保護カバーとを有し、前記保護カバーは、前記本体の角部に位置し、前記保護カバーの内側に高さの異なる複数のリブが配設されることを特徴とする構成とした。【選択図】  図５
2012147354.tif 000002
【特許請求の範囲】
【請求項１】
本体（１）と、
表示装置（２）と、
前記表示装置（２）を回動可能に保持するヒンジユニット（３）と、
前記表示装置（２）が収納される収納部（４０３）を有する外装部材（４０）と、
前記表示装置（２）の信号を伝達する信号線（４４）と、
前記信号線（４４）を保護する保護カバー（４５）とを有し、
前記保護カバー（４５）は、前記本体（１）の角部に位置し、前記保護カバー（４５）の内側に高さの異なる複数のリブ（４５１，４５２）が配設されることを特徴とする撮像装置。
【請求項２】
前記信号線（４４）は、
前記外装部材（４０）に設けられた穴部（４０４）を通って前記本体（１）に接続され、
前記信号線（４４）および前記穴部（４０４）は前記保護カバー（４５）によって覆われ、
前記保護カバー（４５）は導電樹脂製であることを特徴とする請求項１に記載の撮像装置。
【請求項３】
前記複数のリブ（４５１、４５２）は、
前記ヒンジユニット（３）より前記穴部（４０４）に近い箇所の方が高さが高いことを特徴とする請求項１又は請求項２に記載の撮像装置。
【発明の詳細な説明】
【技術分野】
【０００１】
本発明は、回動可能な表示装置を有する撮像装置に関し、特に表示装置の信号線を保護するカバーの補強構造に関する。
【背景技術】
【０００２】
従来、デジタルカメラなどの撮像装置において、撮像素子から出力された信号を撮像装置の外観に設けられた表示装置に表示して、撮影前に構図や露出を確認する事が出来るライブビュー機能を有するものがある。この様な撮像装置においては、極端なローアングルやハイアングルにおいて表示装置の視認性を確保するために、表示装置が撮像装置本体に対して回動可能に保持されているものが数多く提案されている。表示装置を回動可能に保持するためには、表示装置とヒンジユニットを締結した表示装置ユニットのヒンジ側を撮像装置本体に固定することが一般的である。この際、表示装置の信号線はヒンジユニットの中空の回動軸を通った後、カメラ本体に引き込まれる構成を取ることが多い。
【０００３】
また、表示装置の回動範囲を確保するために、ヒンジユニットは撮像装置の端部付近に配置することが一般的である。そのため表示装置の信号線を覆うカバーは必然的に撮像装置の角部付近に設けられてしまい、撮像装置の落下時などに大きな衝撃が加わってしまう構成になっていた。
【０００４】
以下に示す特許文献１では、ヒンジユニットの中空の回動軸を通してカメラ本体に表示装置の電源線および信号線を引き込む構成が開示されている。
【先行技術文献】
【特許文献】
【０００５】
【特許文献１】特開2005-101779号公報
【発明の概要】
【発明が解決しようとする課題】
【０００６】
特許文献１に開示された従来技術では、ヒンジユニットの中空軸を通してカメラ本体に表示装置の電源線および信号線を引き込んでいる。この構成では、信号線からの電磁ノイズの放射を防ぐためにはこの中空の回動軸付近の外装部材は導電性のある樹脂を用いることが望ましい。また、ヒンジユニットの中空の回動軸がカメラの上側の角部付近に設けられているため、カメラが自然落下した際などに、中空の回動軸付近のカバーが直に衝撃を受けることが考えられる。一般的に導電樹脂は導電性を確保するためのフィラーが混ぜられているため、耐衝撃性という点で通常の樹脂に劣ることが多い。よって先行文献１に開示された従来技術では、ヒンジユニット中軸の外装部材の衝撃に対する信頼性が低下する恐れがある。
【０００７】
そこで本発明の目的はヒンジユニット信号線を覆う外装部材に衝撃に対する高い信頼性を持たせ、かつ液晶表示ユニットに起因する電磁ノイズの発生にも配慮した構造を提供することである。
【課題を解決するための手段】
【０００８】
上記目的を達成するために、本発明の撮像装置は、本体と、表示装置と、前記表示装置を回動可能に保持するヒンジユニットと、前記表示装置が収納される収納部を有する外装部材と、前記表示装置の信号を伝達する信号線と、前記信号線を保護する保護カバーとを有し、前記保護カバーは、前記本体の角部に位置し、前記保護カバーの内側に高さの異なる複数のリブが配設されることを特徴とする。
【発明の効果】
【０００９】
本発明によれば回動可能な液晶表示ユニットからの信号線をカメラ端部付近から本体内に引き込む構成において、信号線を覆うカバーに衝撃に対する十分な信頼性を付与するとともに、液晶表示ユニットに起因する電磁ノイズの放射を抑えた撮像装置を提供することが可能になる。
【図面の簡単な説明】
【００１０】
【図１】本発明の実施形態を示したデジタルカメラの斜視図である。
【図２】本発明の実施形態を示したヒンジ機構の分解斜視図である。
【図３】本発明の実施形態を示したデジタルカメラの背面カバーユニット取り付け構成を示す図である。
【図４】本発明の実施形態を示した背面カバーユニットの分解斜視図である。
【図５】本発明の実施形態を示した背面カバーユニットの断面図である。
【発明を実施するための形態】
【００１１】
以下に、本発明の好ましい実施の形態を、添付の図面に基づいて詳細に説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１２】
［実施例］
図１から図を用いて、本発明の表示装置を搭載する撮像装置の一実施形態であるデジタルカメラを説明する。
【００１３】
図１（ａ）は本実施例のデジタルカメラを前方（被写体側）から見た斜視図である。図１（ｂ）は本実施例のデジタルカメラを後方（撮影者側）底面方向から見た斜視図である。図１（ｃ）は本実施例のデジタルカメラの表示装置を開いた状態を後方（撮影者側）から見た斜視図である。
【００１４】
図１（ａ）から図１（ｃ）において、１はデジタルカメラ本体であり、２は撮影画像等を確認可能な表示装置ユニットである。表示装置ユニット２は、例えば３．０インチ程度のＴＦＴ液晶パネルなどから構成されている。ここで、表示装置ユニット２は、撮影画像等が表示される表示面２ａと背面２ｂを有している。また、表示装置ユニット２は、撮影時ビューファインダーとしても利用可能となっている。
【００１５】
３はヒンジ機構であり、ヒンジ機構３は後述する背面カバー４０と一体化されており、表示装置ユニット２はヒンジ機構３により回転し、デジタルカメラ本体１に対して開閉可能に結合されている。ヒンジ機構３の第１の回転中心軸Ａにより回転し、表示装置ユニット２が開いている状態で、さらにヒンジ機構３の第２の回転中心軸Ｂにより回転をさせることで、撮影者はより自由なアングルにて撮影を行うことができる。
【００１６】
図２は、ヒンジ機構３の分解斜視図である。
【００１７】
図２において、３０１、３０２は背面カバー４０への取り付け部であり、ヒンジ機構３は取り付け部３０１、３０２が背面カバー４０に後述する不図示のビスで取り付けられる。
【００１８】
３０３、３０４は開閉支軸、３０３ａ、３０４ａは開閉ストッパであり、それぞれの支軸と一体に形成されている。３０５はベース板であり、開閉ストッパ３０３ａ、３０４ａをベース板３０５に形成された当接部（不図示）に当接させることで、開閉支軸３０３、３０４による表示装置ユニット２の開きを１８０度に規制する。３０６は可動カム、３０７はコイルバネであり、可動カム３０６は開閉支軸３０４の軸方向に移動自在に挿入され、コイルバネ３０７は可動カム３０６を開閉支軸３０５に設けられたカム面に常時付勢する。開閉支軸３０３、３０４はそれぞれの一端でベース板３０５に回動可能に保持され、回転中心軸Ａを回転中心として開閉させる際の開閉支軸となる。
【００１９】
３０８は表示取り付け部、３０８ａは回動軸であり、表示取り付け部３０８に表示装置ユニット２が取り付けられる。回転軸３０８ａは表示取り付け部３０８と一体に形成され、表示装置ユニット２をデジタルカメラ本体１に対して、回転中心軸Ｂを回転中心として回動させる際の回転軸となる。３０９は固定カムであり、固定カム３０９は回動軸３０８ａに固定される。３１０は板バネであり、板バネ３１０は回動軸３０８ａに所定のトルクを与える。３１１は回動ストッパであり、回動ストッパ３１１をベース板３０５に形成された突起（不図示）に当接させることで、回動軸３０８ａを中心とする画像表示部２の回転を一定範囲に規制する。ベース板３０５は回動軸３０８ａを回動自在に支持する。
【００２０】
３１２、３１３はヒンジカバーであり、ヒンジカバー３１２、３１３はビス３１４によりベース板３０５に固定され、ヒンジ機構３を覆う。
【００２１】
なお本実施例では、ヒンジ機構の構成部品のうちヒンジカバー３１２，３１３を除いた部品はすべて金属製である。
【００２２】
図３（ａ）は、デジタルカメラ１の分解斜視図である。
【００２３】
図３（ａ）において、４は背面カバーユニット、５はサイドカバーであり、背面カバーユニット４はビス１３、サイドカバー５はビス１４によってデジタルカメラ本体１に取り付けられる。サイドカバー５は樹脂で成形されている。
【００２４】
６は端子カバー、９は電気回路基板、１０は外部インターフェース端子部、１１は周辺機器用端子部である。端子カバー６は弾力性のあるエラストマー部材で形成され、サイドカバー５に圧入され、外部インターフェース端子部１０、周辺機器用端子部１１を保護している。外部インターフェース端子部１０は、カメラを外部機器と接続するための端子部であり、電気回路基板９に実装されている。本実施例では、ＵＳＢ  ＭｉＮｉ−ＢおよびＨＤＭＩ  ＴｙｐｅＡ端子である。周辺機器用端子部１１は、カメラの周辺機器を接続するための端子部であり、不図示の電気回路基板に実装されている。本実施例では、マイクおよびリモートコントローラー用の端子である。これらは主に、カメラ使用状態において使用される。そのため、ヒンジ機構３による画面表示部２の回動軌跡から外れた位置に配置されており、周辺機器を接続した状態において、表示装置ユニット２の回動を妨げることなくカメラおよび周辺機器の使用を可能としている。
【００２５】
７は外装ラバーであり、外装ラバー７は弾力性のあるエラストマー部材で成形されており、端子カバー６と一体的に意匠性を高めつつ、撮影時の滑り止めの役割を持つ。８はシャーシであり、シャーシ８は金属で成形されており、デジタルカメラ本体１の骨格の一部をなしている。１２はコネクタであり、シャーシ８に固定された電気回路基板９上に実装されている。背面カバーユニット４は後述するフレキシブル電気回路基板によってコネクタ１２に電気的に接続される。１５はハーネスコネクタであり、後述する表示装置ユニットからの信号線４４が接続される。
【００２６】
図３（ｂ）は、背面カバーユニット４を前方（被写体側）から見た斜視図であり、表示装置ユニットが回動した位置にある状態を示している。
【００２７】
４０は背面カバーであり、樹脂で成形されている。４１はヒンジ保持部材であり、金属で成形されている。４３はフレキシブル電気回路基板であり、背面カバーユニット４の操作用ボタン（不図示）、スピーカ（不図示）、ディテクタスイッチ（不図示）と、これらに付随する抵抗（不図示）、コンデンサ（不図示）等の実装部品が搭載されている。フレキシブル基板４３は、デジタルカメラ本体１に固定された電気回路基板９に実装されたコネクタ１２によって接続され、前記実装部品に対して電気信号の処理が行われる。４４は表示装置ユニットからの信号線であり、複数本の信号線を束ねて１本のハーネスにしたものである。表示装置ユニットからの信号線４４は前述した電気回路基板９上のハーネスコネクタ１５に接続される。表示装置ユニットからの信号線４４は図に示すように背面カバー４０の底面付近を通って、電気回路基板９の下部に配置されたコネクタ１２に接続される。
【００２８】
次に図４を用いて、背面カバーユニットの構成について説明する。
【００２９】
図４（ａ）は背面カバーユニットの分解斜視図である。図４（ｂ）は、信号線保護カバー４５を撮影者側から見た図である。信号線保護カバー４５に関する詳細は後述する。
【００３０】
表示装置ユニット２はヒンジ機構３に不図示のビスによって固定されている。ヒンジ機構３の固定部３０１および３０２には、背面カバーとの位置関係を決めるための位置決め穴３０１ａ、３０２ｂおよびビス３０１ｃ、３０２ｃによってヒンジ機構を固定するためのビス穴３０１ａ、３０２ａが設けられている。
【００３１】
背面カバー４０には、ヒンジ機構の位置をガイドするための位置決めダボ４０１ａ、４０２ａおよび、ビス３０１ｃ、３０２ｃを通すためのビス穴４０１ｂ、４０２ｂが設けられている。４０３は表示装置収納部であり、表示装置ユニット２はこの表示装置収納部４０３に収納される。
【００３２】
表示装置ユニットからの信号線４４は、詳細は後述するように、ヒンジ機構３の回動軸３０８ｂ、開閉支軸３０３を通って、背面カバー４０に設けられた信号線引込み穴４０４を通って、デジタルカメラ本体１の内部に引き込まれる。
【００３３】
４６はヒンジカバーであり、ビス４６ａによって背面カバー４０に固定され、ヒンジ機構３の固定部３０２を保護する。４５は信号線保護カバーであり、ビス４５ａによって背面カバー４０に固定され、前述した信号線引込み穴４０４付近を覆う。なお、信号線保護カバー４５は導電樹脂製であり、表示装置ユニットからの信号線４４からの電磁ノイズの発生を抑制することができる。
【００３４】
４１はヒンジ保持部材であり、ヒンジ機構３を固定するためのビス３０１ｃ、３０２ｃが締結されるための不図示のビス穴が設けられている。また、背面カバーユニットをシャーシ８と接続するためのシャーシ固定部４１３、４１４が設けられている。
【００３５】
図４（ｂ）に示すように、信号線保護カバー４５の内側には高さの異なる第１リブ４５１と第２リブ４５２が設けられている。詳細は後述するように第２リブ４５２は第１リブ４５１に比べて高さが高くなっている。４５３はビス４５ａが締結されるダボであり、第２リブ４５２と一体的に成形されている。
【００３６】
図５は表示装置ユニットからの信号線４４の這い回しを説明するための図である。図５（ａ）中の線分Ｃ−Ｃ、Ｄ−Ｄでの断面図を図５（ｂ）、図５（ｃ）に示す。
【００３７】
図５（ｂ）に示すように、表示装置ユニットからの信号線４４はヒンジ機構３の回動軸３０８ａ、開閉支軸３０３を通過した後、背面カバー４０に設けられた信号線引込み穴４０４を通ってデジタルカメラ本体内に引き込まれる。
【００３８】
開閉支軸３０３に近い第１リブ４５１に比べて、信号線引込み穴４０４に近い第２リブ４５２の方が高さが高くなっている。これによって表示装置ユニットからの信号線４４は開閉支軸３０３を通過した後、第１リブ４５１に対しては十分なクリアランスをもって近傍を通過し、高さのある第２リブ４５２によって信号線引込み穴４０４に向かってガイドされる。第２リブ４５２の高さは、表示装置ユニットからの信号線４４が信号線引込み穴４０４に引き込まれる際に余計なテンションがかからないように設定されている。このように第２リブ４５２がガイドの役割を果たすことで、背面カバーユニット４の状態で信号線４４の長さのばらつきを抑え、背面カバーユニット４をデジタルカメラ本体１に組み付ける際の作業性を向上させることが可能となる。また、信号線４４に対して余分なストレスがかかることを防止できる。
【００３９】
また第２リブ４５２はダボ４５３と一体的に成形されているため、信号線保護カバー４５の強度をより向上させることが可能となる。これにより、表示装置ユニットからの信号線４４からの電磁ノイズの発生を抑制するために、信号線保護カバー４５の材質を一般的に強度の劣る導電樹脂にした場合でも、衝撃等の外力に対して十分な強度を持たせることが可能となる。
【００４０】
図５（ｃ）は表示装置ユニットからの信号線４４のデジタルカメラ本体内での這い回しを説明するための図である。図に示すように表示装置ユニットからの信号線４４は、背面カバー４０の内側下端部に設けられた信号線スペース４０５を通って、電気回路基板９上に配置されたハーネスコネクタ１５に接続される。信号線スペース４０５は、表示装置収納部４０３の下部のリブの裏側に設けられた凹みであり、この空間に表示装置からの信号線４４を通すことでカメラ本体１の薄型化が可能となる。さらには、信号線スペース４０５は、電気回路基板９の下端より下に位置するため、表示装置ユニットからの信号線４４と電気回路基板９をカメラ光軸方向においてほぼ同一の位置に配置することが可能となり、デジタルカメラ本体１のより一層の薄型化が可能となる。また、表示装置ユニットからの信号線４４が電気回路基板９の面上を通過しないため、表示装置ユニットからの信号線４４から放射される電磁ノイズが回路基板９に影響を及ぼすことを防止できる。
【００４１】
また、ヒンジユニットの開閉支軸３０３はカメラの下側に配置されているため、表示装置ユニットからの信号線４４の長さを最小限に抑えることが可能となり、製品のコスト増加を防ぐことが可能である。
【００４２】
以上、本発明の好ましい実施形態について説明したが、本発明はこれらの実施形態に限定されず、その要旨の範囲内で種々の変形及び変更が可能である。また、本発明は、デジタルムービーカメラ、携帯型のＰＣ、携帯電話等に適用してもよい。
【符号の説明】
【００４３】
１  デジタルカメラ本体
２  表示装置ユニット
３  ヒンジ機構
４  背面カバーユニット
５  サイドカバー
６  端子カバー
７  外装ラバー
８  シャーシ
【図１】
2012147354.tif 000003
【図２】
2012147354.tif 000004
【図３】
2012147354.tif 000005
【図４】
2012147354.tif 000006
【図５】
2012147354.tif 000007